【手続補正書】
【提出日】平成28年6月23日(2016.6.23)
【手続補正１】
【補正対象書類名】明細書
【補正対象項目名】０００４
【補正方法】変更
【補正の内容】
【０００４】
また、安全ピンを備えた情報表示札を被服に対して穴を開けずに取り付ける方法として、例えば、後出特許文献２には、被服の一部に名札保持部を設け、この名札保持部に名札に設けられた安全ピンのシャフト部をその長手方向の直角の方向から差し込んで着脱可能に係止することが可能な係止部を設ける方法が開示されている。
【手続補正２】
【補正対象書類名】明細書
【補正対象項目名】０００５
【補正方法】変更
【補正の内容】
【０００５】
【特許文献１】実開昭５６−１４２０８５号公報
【特許文献２】特開平１０−１２３９６０号公報
【手続補正３】
【補正対象書類名】明細書
【補正対象項目名】００１７
【補正方法】変更
【補正の内容】
【００１７】
【図１】実施の形態１に係る情報表示体を示した正面図である。
【図２】図１に示す情報表示体を示した側面図である。
【図３】図１に示す情報表示体を分解して示した正面図である。
【図４】図１に示す第二装着部材を示した分解斜視図である。
【図５】図４に示す一方側挟持体を示した平面図である。
【図６】図４に示す一方側挟持体を示した底面図である。
【図７】図４に示す一方側挟持体を示した中央縦断面図である。
【図８】図４に示す他方側挟持体を示した平面図である。
【図９】図４に示す他方側挟持体を示した底面図である。
【図１０】図４に示す他方側挟持体を示した中央縦断面図である。
【図１１】図４に示す操作体を示した平面図である。
【図１２】図４に示す操作体を示した底面図である。
【図１３】図４に示す操作体を示した中央縦断面図である。
【図１４】図４に示す第二装着部材の両挟持体を閉じた状態を示した縦断面図である。
【図１５】図４に示す第二装着部材の両挟持体を開いた状態を示した縦断面図である。
【図１６】図１に示す連結部材を示した背面図である。
【図１７】図１に示す連結部材を示した中央縦断面図である。
【図１８】図１に示す情報表示体の使用例を示した正面図である。
【図１９】実施の形態２に係る第二装着部材及び連結部材を示した中央縦断面図である。
【図２０】実施の形態２に係る第二装着部材を示した正面図である。
【図２１】図２０に示す第二装着部材を示した中央縦断面図である。
【手続補正４】
【補正対象書類名】明細書
【補正対象項目名】００２５
【補正方法】変更
【補正の内容】
【００２５】
一方側挟持体１５は、図４〜図７に示すように、前方側に被装着物を挟持する挟持部１８が設けられ、後方側に矩形の嵌合窓１９が設けられ、嵌合窓１９の両側には側壁２０，２０が設けられ、両側壁２０，２０には支持軸２１が架設されている。また、一方側挟持体１５の挟持部１８には、他方側挟持体１６と対向する面に挟持歯２２が設けられている。他方側挟持体１６は、図４及び図８〜図１０に示すように、前方側に被装着物を挟持する挟持部２３が設けられ、後方側に下方に突き出した一方側挟持体１５の嵌合窓１９に嵌まる形状の側面視略凹状嵌合板２４が設けられている。また、他方側挟持体１６の挟持部２３には、一方側挟持体１５の挟持歯２２と噛み合うように挟持歯２５が設けられている。操作体１７は、図４及び図１１〜図１３に示すように、前部に一方側挟持体１５の支持軸２１に回動自在に嵌着される軸受部２６が横断して形成されており、軸受部２６の下部には嵌合板２４の上面を押圧するカム２７が形成されており、後部に第一嵌合部２８が形成されている。なお、操作体１７の第一嵌合部２８は、一方側挟持体１５の外面に続く面（図１３参照）に形成された一方側開口２９が他方側挟持体１６の外面に続く面（図１３参照）に形成された他方側開口３０よりも小径に形成された通孔状になっており、これにより、第一嵌合部２８の内周には、両開口２９，３０の径の違いに伴って段差３１が形成される。なお、一方側挟持体１５の両側壁２０，２０には、支持軸２１よりも後方に位置付けて操作体１７の回転により他方側挟持体１６が開閉するように誘導する支持棚３２が架設けられており、また、他方側挟持体１６の嵌合板２４後部には、一方側挟持体１５の支持棚３２を摺動しながら他方側挟持体１６の挟持部２３を開閉させる摺動軸３３が設けられている。
【手続補正５】
【補正対象書類名】明細書
【補正対象項目名】００２６
【補正方法】変更
【補正の内容】
【００２６】
そして、第二装着部材４は、図１４及び図１５に示すように、他方側挟持体１６の嵌合板２４を一方側挟持体１５の前方から支持軸２１の下に向かって通して一方側挟持体１５の嵌合窓１９に嵌め込むように位置付けて、他方側挟持体１６の摺動軸３３を一方側挟持体１５の支持棚３２に当接させて載せた状態とした後に他方側挟持体１６の後方から支持軸２１に操作体１７の軸受部２６を嵌め入れて操作体１７を支持軸２１を中心として回し、操作体１７のカム２７を他方側挟持体１６の嵌合板２４の上面に乗り上げる前の状態に位置付ければ、一方側挟持体１５の挟持部１８と他方側挟持体１６の挟持部２３とが開口した状態で保持され、操作体１７のカム２７を他方側挟持体１６の嵌合板２４の上面に乗り上げて一方側挟持体１５と他方側挟持板１６と操作体１７とが側面視直線的に位置付けられた状態にすれば、一方側挟持体１５の挟持部１８と他方側挟持体１６の挟持部２３とが閉口した状態で保持されるようになっている。よって、第二装着部材４における操作体１７は、一対の挟持部１８，２３を閉口した状態において一対の挟持部１８，２３が開口した際の開口方向（図１５中、矢印Aにて示す。）と逆方向に伸びるように位置付けられ、また、操作体１７の第一嵌合部２８は、一対の挟持部１８，２３を閉じた状態から開く際に操作体１７を回転させる方向（図１４中、矢印Bにて示す。）に伸びるように開口している。
【手続補正６】
【補正対象書類名】明細書
【補正対象項目名】００２７
【補正方法】変更
【補正の内容】
【００２７】
連結部材５は、図１、図１６及び図１７に示すように、情報表示部材３に設けられた第一装着部２のピン１３が抜き差しされる筒部３４と、筒部３４の中央部分に一方面が固定された扁平状の円盤部３５と、円盤部３５の他方面から突出する円筒状の第二嵌合部３６とから構成されている。円盤部３５は、筒部３４に対して一方面の周縁の一部が固定させており、筒部３４から突き出した状態になっている。従って、連結部材５の第二嵌合部３６は、筒部３４の貫通軸に対して垂直に立体交差するように伸びた状態となる。また、第二嵌合部３６は、先端側の外径が元端側の外径よりも僅かに大径に形成されており、第二嵌合部３６の先端側の外径は、操作体１７の一方側開口２９の内径よりも僅かに大径に形成されており、第二嵌合部３６の先端部分には、先端から元端側に向かって切り欠かれてなる一対の切込み３７，３７が形成されている。
【手続補正７】
【補正対象書類名】明細書
【補正対象項目名】００２９
【補正方法】変更
【補正の内容】
【００２９】
先ず、第一装着部２のピン１３を掛止部１４から外した状態とし、第一装着部２の他方側の軸部１２を情報表示部６の取付部９に通すことにより、情報表示部６に第一装着部２を取り付ける。次に、第一装着部２の掛止部１４から外された状態のピン１３を連結部材５の筒部３４に通した後に該ピン１３を掛止部１４に掛け止めることにより、第一装着部２に連結部材５をピン１３を回転軸として回転自在に取り付ける。次に、連結部材５の第二嵌合部３６を第二装着部材４の第一嵌合部２８に対して嵌め込むことにより、連結部材５に第二装着部材４を取り付ける。これにより、第二装着部材４は、操作体１７の回転方向を筒部３４の貫通軸と垂直に立体交差する方向に向けた状態で連結部材５に連結され、また、第二装着部材４が連結部材５に対して第二嵌合部３６を回転軸として回転自在になる。なお、連結部材５の第二嵌合部３６を第二装着部材４の第一嵌合部２８に嵌め込む際には、第二嵌合部３６を第一嵌合部２８の一方側開口２９側から差し込んで嵌め込み、この時、第二嵌合部３６の先端側の外径が第一嵌合部２８の一方側開口２９の内径よりも僅かに大径に形成されているため、第二嵌合部３６の先端側が切込み３７の隙間を狭めるように変形して第一嵌合部２８に嵌め込まれた後、第二嵌合部３６の先端側が第一嵌合部２８の内周の段差３１に引っ掛かった状態となって簡単に外れないようになる。また、連結部材５に対して第二装着部材４を第二嵌合部３６を回転軸として回転させた際に、第二装着部材４は連結部材５と干渉しないようになっている。（図２中、点線にて示すように、第二装着部材４の一方側挟持部１５の表面が連結部材５の筒部３４と接触しないようになっている。）
【手続補正８】
【補正対象書類名】明細書
【補正対象項目名】００４０
【補正方法】変更
【補正の内容】
【００４０】
本実施の形態に係る第一嵌合部３９は、図１９に示すように、第二装着部材４の一方側挟持体１５における挟持部１８の表面から突出しており、操作体１７の回転方向と平行に伸びている。また、本実施の形態に係る第二嵌合部４０は、連結部材５の円盤部３５における裏面を凹状に切り欠いて形成されている。そして、第二装着部材４は連結部材５の第一嵌合部３９に対して第二嵌合部４０を嵌め込むことによって着脱・回転可能に連結されている。
【手続補正９】
【補正対象書類名】図面
【補正対象項目名】図１１
【補正方法】変更
【補正の内容】
【図１１】
2015011102.tif 000001
【手続補正１０】
【補正対象書類名】図面
【補正対象項目名】図１２
【補正方法】変更
【補正の内容】
【図１２】
2015011102.tif 000002